(57)【特許請求の範囲】
【請求項１】
筺体内にハードディスクドライブ装置を内蔵したビデオ信号記録及び／又は再生装置であって、
上記筺体は上面に大きな矩形面を持つ略直方体で少なくとも前面側から上面側にかけて閉塞されて成り、
上記筺体のほぼ中央部に１台又は複数台のハードディスクドライブ装置を配置し、該ハードディスクドライブ装置を挟んで一側部側にチューナー部を配置するとともに他側部側に電源部を配置し、
上記ハードディスクドライブ装置と上記チューナー部との間に第１のファンを配置するとともに上記電源部の後方側に第２のファンを配置し、上記チューナー部側から上記ハードディスクドライブ装置を通して上記電源部に流通し外部へ至る空気流を生成するようにしたことを特徴とするビデオ信号記録及び／又は再生装置。
【請求項２】
請求項１に記載のビデオ信号記録及び／又は再生装置において、上記第１のファンは吸気用ファンであり、上記第２のファンは排気用ファンであることを特徴とするビデオ信号記録及び／又は再生装置。
【請求項３】
請求項１に記載のビデオ信号記録及び／又は再生装置において、上記筺体の側面部は断面略く字状に形成し、該側面部の前後方向の谷部に通気孔を形成するとともに上記筺体の前面部の下面側に通気孔を形成したことを特徴とするビデオ信号記録及び／又は再生装置。
【請求項４】
請求項１に記載のビデオ信号記録及び／又は再生装置において、１台又は複数台のハードディスクドライブ装置を横位置で配置したことを特徴とするビデオ信号記録及び／又は再生装置。
【請求項５】
請求項１に記載のビデオ信号記録及び／又は再生装置において、１台又は複数台のハードディスクドライブ装置を縦位置で配置することを特徴とするビデオ信号記録及び／又は再生装置。
【請求項６】
請求項１に記載のビデオ信号記録及び／又は再生装置において、複数台のハードディスクドライブ装置を前後方向に所要間隔を置いて横方向にジグザグ状に配置し、上記ハードディスクドライブ装置内の間隔部に空気流を生成するようにしたことを特徴とするビデオ信号記録及び／又は再生装置。
【発明の詳細な説明】
【０００１】
【発明の属する技術分野】
本発明はハードディスクドライブ装置を内蔵したビデオ信号記録及び／又は再生装置に関する。
【０００２】
【従来の技術】
従来、ハードディスクドライブ装置は主にパーソナルコンピュータに内蔵されて使用されていた。パーソナルコンピュータは基本的にはオフィスで使用されることが多いものであった。
【０００３】
一方、昨今ハードディスクドライブ装置の記憶容量が飛躍的に高まり、コストが低減し、また様々な電子機器のデジタル化により、ハードディスクドライブ装置がビデオ記録再生装置やオーディオ記録再生装置、ゲーム機やテレビ、セットトップボックス等多くの電子機器に搭載されることが検討されるようになった。
【０００４】
しかしながら、オフィスで使用されるパーソナルコンピュータと家庭内で使用される電子機器とでは、その使用状態や設置場所、静粛性や温度上昇、耐衝撃性等求められるものが異なり、家庭内で使用される電子機器では、はるかに厳しいものが求められる。
【０００５】
例えば、ビデオ記録再生装置やオーディオ記録再生装置では、映画再生時の静かな場面や音楽のピアニッシモのときに、ハードディスクドライブ装置が騒音を発していれば大変興ざめなものとなる。
【０００６】
また、ハードディスクドライブ装置では書き込みながらの再生、例えば、テレビ番組を５分遅れで見るような場合、現在放送されている番組をハードディスクドライブ装置に記録しながら、５分前の放送内容を読み出すことを繰り返しており、この場合ディスク上をヘッドが行ったり来たりして大きな騒音を発することになる。
【０００７】
また、例えば、ビデオ記録再生装置やオーディオ記録再生装置では、アンプやＭＤデッキと共に棚等に収納するとき、他の機器と大きさや形が同様のものであることが好ましく、また棚等の内部で側面が塞がれても発熱が大丈夫である必要がある。さらにまた、一般のアンプやビデオデッキを運ぶ場合と同様に衝撃や落下に耐える必要がある。
【０００８】
【発明が解決しようとする課題】
本発明は、本来事務機器であるパーソナルコンピュータに主に使われていたハードディスクドライブ装置を、家庭内で使われる電子機器であるビデオ信号記録及び／又は再生装置に組み込むにあたり、生ずる問題を解決するためになされたものである。
【０００９】
【課題を解決するための手段】
上記目的を達成するために本発明は、筺体内にハードディスクドライブ装置を内蔵したビデオ信号記録及び／又は再生装置であって、筺体は上面に大きな矩形面を持つ略直方体で少なくとも前面側から上面側にかけて閉塞されて成り、筺体のほぼ中央部に１台又は複数台のハードディスクドライブ装置を配置し、このハードディスクドライブ装置を挟んで一側部側にチューナー部を配置するとともに他側部側に電源部を配置し、ハードディスクドライブ装置とチューナー部との間に第１のファンを配置するとともに電源部の後方側に第２のファンを配置し、チューナー部側から上記ハードディスクドライブ装置を通して上記電源部に流通し外部へ至る空気流を生成するように構成したものである。
【００１０】
上記構成において、第１のファンは吸気用ファンであり、第２のファンは排気用ファンとして構成するものである。
【００１１】
上記構成において、筺体の側面部は断面略く字状に形成し、この側面部の前後方向の谷部に通気孔を形成するとともに筺体の前面部の下面側に通気孔を形成した構成とすることができる。
【００１２】
上記構成において、１台又は複数台のハードディスクドライブ装置を横位置で配置し、また、縦位置で配置する構成とすることができる。
【００１３】
また上記構成において、複数台のハードディスクドライブ装置を前後方向に所要間隔を置いて横方向にジグザグ状に配置し、上記ハードディスクドライブ装置内の間隔部に空気流を生成するように構成することができる。
【００１４】
以上のように本発明によるビデオ信号記録及び／又は再生装置は、筺体内において、チューナー回路部とハードディスクドライブ装置との間には第１のファンとしての吸気用ファンを配置し、電源回路部の後方側に第２のファンとしての排気用ファンを配置したことにより、外部の空気は吸気用ファンの駆動により筺体の側面部に形成した通気孔及び前面部の下面部に形成した通気口等から流入して温度上昇に弱いチューナー回路部に沿って流れてこのチューナー回路部を冷却し、この空気は吸気用ファンを介してハードディスクドライブ装置の表面に沿って流れてこのハードディスクドライブ装置を冷却しながら流れる空気は電源回路部側に流れてその回路部品間を流通して冷却し、排気用ファンにより外部に排出され装置の筺体内は空気の強制的流れにより冷却が確実に行われる。
【００１５】
また、筺体の側面部は断面く字状に形成されてその谷部に通気孔を形成したことにより、装置を棚等に収納設置した場合も吸気を確保できる構成であり、また、装置を側面側が棚内壁に密着状態で収納設置した場合でも前面側の下面部に形成した通気孔により通気が確保されて装置は設置場所に関係なく常に空気の流通冷却を確実に行うことができる。
【００１６】
さらに、装置は筺体が薄い略直方体形状で内蔵されるハードディスクドライブ装置は上下の面積の大の回路基板間に配置されていても、吸気用ファンと排気用ファンの駆動により空気は両回路基板間をスムーズに流通して確実に冷却される。
【００１７】
【発明の実施の形態】
以下、図面を参照しながら本発明の実施の形態例について詳細に説明する。
先ず、図１〜図８を参照して第１の実施の形態例を説明するに、本例においては、ハードディスクを内蔵したビデオ信号記録及び／又は再生装置の一例としてハードディスク記録型のデジタルビデオレコーダーを示している。
【００１８】
この実施の形態例のビデオ信号記録及び／又は再生装置は、上面に大きな矩形面を持った外形が略直方体状の筺体構造のほぼ中央部に１台又は複数台のハードディスクドライブ装置を配置した構成とすることにより、装置の落下において衝撃を受ける下面側の四隅部の脚体から最も離れて位置されることになり、耐衝撃性が増し、また、ハードディスクドライブ装置の発する振動を四隅部の脚体により等分に受けて振動を外部へ伝えにくくするものである。
【００１９】
また、本例装置は、ハードディスクドライブ装置を筺体構造内において、筺体の最大面と略同大の上下の回路基板のほぼ中央部に配置し、この上下の回路基板を防音材としても使用し防音効果を向上させるようにしたものである。また、ハードディスクドライブ装置を回路基板上に配置し、この上方と前方に防音材を配設し防音効果を一層向上させると共に、ハードディスクドライブ装置と防音材との間に所要間隔を設けることにより、防音と空気による冷却を同時に実現するようにしたものである。
【００２０】
また、本例装置は、筺体構造内においてチューナー回路ユニットとハードディスクドライブ装置との間には第１のファンとして吸気用ファンを配置し、電源回路ユニットの後方側に第２のファンとしての排気用ファンを配置して、外部から吸気する空気により、最も温度上昇に弱いチューナー回路ユニットを冷却し、次にハードディスクドライブ装置の表面側である金属板側を冷却し、そして電源回路ユニットの回路部品間を流通して外部に排出させる空気の流れを生成するように構成して筺体構造内の冷却効果を向上させるものである。また、吸気孔として筺体構造の側面部及び前面部の下面側に通気孔を形成し、側面側は断面く字状に形成してこの谷部に通気孔を形成することにより、本例装置を棚等に収納したときの吸気を確保し、また、側面部が棚内壁に密接した場合にも前面部下面側の通孔により吸気を確保できるようにしたものである。
【００２１】
さらに、筺体構造が薄い略直方体で、ハードディスクドライブ装置等の部材が上下の大きな回路基板間に配置されている場合も吸気用ファンと排気用ファンにより十分な冷却が行えるようにしたものである。
【００２２】
図１は第１の実施の形態例装置の外観図である。
この装置１の筺体は上面側に大きな矩形面を持った外形が略直方体状で、この筺体前面のフロントパネル１１には左端部側に電源釦２や録画釦、プログラム釦など各種の操作釦３が配置されており、またフロントパネル１１の中央部には電源が入ったときに光る電源表示部４が設けられている。
【００２３】
図２は本例装置の分解図である。
図において５は装置の基体をなすシャーシであり、このシャーシ５上に電子回路部品を実装した回路基板６，７が上下に配置固定され、さらにこの回路基板６と７の間に位置して電源回路ユニット８、記録媒体であるハードディスクを内蔵した記録媒体駆動装置としてのハードディスクドライブ装置９やチューナー回路ユニット１０等が配置固定されている。
【００２４】
そしてこのシャーシ５を囲むように複数の外装パネル即ち前面のフロントパネル１１と左右のサイドパネル１２と天板１３と背面板１４とが組み合わされてシャーシ５に固定され、外装の筺体を構成している。
【００２５】
この筺体構造についてさらに説明すると、シャーシ５は主板部である底板部５ａの面側端に側板部５ｂを一体に立上げ形成し、底板部５ａの前縁側には、シャーシ５と同じ金属板で形成された前面板１５が、その下縁フランジ部１５ａをシャーシ５の底板部５ａの前縁フランジ部５ｃに固定することにより取り付けられる。このシャーシ５に対して左右のサイドパネル１２は、それぞれその内面側の下部前後に突設されたフック片１６ａをシャーシ５の側板部５ｂに形成された係合孔１７ａに引掛けることにより取り付けられる。さらに、この左右のサイドパネル１２の内面側の上部前後には突片１６ｂが突設されて、この前側の突片１６ｂ間には、シャーシ５に取り付けられた前面板１５の上縁フランジ部１５ｂを架け渡し、また、後側の突片１６ｂ間にはステー１８を架け渡しそれぞれ螺子止めによって固定する。
【００２６】
フロントパネル１１は、その内面側の上部に取付板部１１ｄが延設され、下端縁から水平に下面板部１１ｅが延設されて、下面板部１１ｅの後端縁をシャーシ５の底面部の前縁部に突き当てた状態で取付板部１１ｄをシャーシ６の前面板１５の上縁フランジ部１５ｂに螺子止めによって固定して取付ける。また、天板１３は前面板１５の上縁フランジ部１５ｂとステー１８とに何れも螺子止めによって固定し、さらに背面板１４はシャーシ５の後縁部に螺子止めによって固定して取り付けるものである。
【００２７】
そして、この筺体構造では、左右のサイドパネル１２は、断面略く字状に形成されてそれぞれの谷部に通気孔１２ａを形成し、このそれぞれの通気孔１２ａの形成部に対応して、シャーシ５の一方の側板部５ｂには切欠状の凹部１７ｂを形成し、他方の側板部５ｂには通気孔１７ｃを形成してある。また、シャーシ５の主板部である底板部５ａとフロントパネル１１の下面板部１１ｅにもそれぞれ通気孔１７ｄと１１ｆを形成してある。
【００２８】
尚、この筺体構造においてフロントパネル１１と左右のサイドパネル１２及び天板１３には何れもアルミニウム板が用いられ、その表面には高級感を出すためにヘアライン加工が施されている。
【００２９】
このような外装構造を有する機器において本例では、フロントパネル１１と左右のサイドパネル１２との組み合わせ部分を図４に示す如く互いに対応する傾斜にカットした構造が採用されている。
【００３０】
この場合、フロントパネル１１とサイドパネル１２は直角に組み合わされるため、互いの合わせ面である端面１１Ａと１２Ａを夫々４５°の傾斜でカットし、このカット面を突き合わせて両者を組み合わせる構造としてある。
【００３１】
このような構造としたことにより本例の機器では、フロントパネル１１と左右のサイドパネル１２との組み合わせ部において夫々のパネル（アルミニウム板）の板厚が表面に見えることはないので、デザイン的にすっきりとした美しい外観を実現できるものである。
【００３２】
またこの構造では、フロントパネル１１とサイドパネル１２の組み合わせ部分の接触面積を大きくとれるので、筺体のシールド性が増し、不要輻射等に対して有利となるものである。
【００３３】
尚、本例ではフロントパネル１１とサイドパネル１２の組み合わせ部分のみを互いに対応する傾斜にカットした構造としてあるが、この構造をフロントパネル１１と天板１３の組み合わせ部分やサイドパネル１２と天板１３の組み合わせ部分にも適用できることは勿論である。
【００３４】
このフロントパネル１１の右端部分には図５に拡大して示すようにカーソル釦配置部２０が設けられている。
【００３５】
ここで示される操作釦として２１は左方向移動用のカーソル釦、２２は右方向移動用のカーソル釦、２３は上方向移動用のカーソル釦、２４は下方向移動用のカーソル釦であり、また２５は決定（ＯＫ）釦である。カーソル釦２１，２２，２３，２４は決定釦２５を中心とする略等間隔の十字形に配置されていわゆる十字カーソルを構成しており、かつ夫々のカーソル移動方向を表わす矢印形状に形成されている。
【００３６】
２６はメニュー表示釦、２７はリスト表示釦であり、このメニュー表示釦２６あるいはリスト表示釦２７を押して画面に表示された内容の中でカーソル釦２１〜２４を押して画面上のカーソルを移動させて決定釦２５を押すことでその内容が選択されるものである。
【００３７】
そしてこれらの操作釦の配置構造として本例の機器では、フロントパネル１１を中央が凹となるようなＶ字形の縦断面形状に形成し、その中央の谷底部分１１ａに左右方向移動用のカーソル釦２１及び２２、決定釦２５、メニュー表示釦２６及びリスト表示釦２７を配置すると共に、上下の傾斜面１１ｂ及び１１ｃに上下方向移動用のカーソル釦２３及び２４を夫々配置した構造が採用されている。
【００３８】
特にこの構成では、フロントパネル１１の中央の谷底部分１１ａから突出される凸部としての樹脂部材３０上に左右方向移動用のカーソル釦２１及び２２、決定釦２５、メニュー表示釦２６及びリスト表示釦２７が設けられ、またフロントパネル１１の上下の傾斜面１１ｂ及び１１ｃから突出される凸部としての樹脂部材３１及び３２上に夫々上下方向移動用のカーソル釦２３及び２４が設けられている。
【００３９】
次に、図２、図３および図６〜図８を参照して本例装置１における内部構造を説明する。
【００４０】
前述のように構成される筺体内には前述のように電源回路ユニット８、ハードディスクドライブ装置９、チューナー回路ユニット１０等が配置されるが、ハードディスクドライブ装置９は、下側の回路基板７上に取付けベース４１を介して取り付けられる。
【００４１】
この取付けベース４１は、図７に示すように、ハードディスクドライブ装置９の載置固定部面となる四辺形状、本例では長方形状の主板部４１ａの一方向に相対する辺、本例では相対する両短辺側に下方に所要の高さに折曲して脚片４１ｂ，４１ｃを形成し、他方向に相対する辺、本例では相対する長辺の一方の長辺側に立上げ側面部４１ｄを、他方の長辺側に下方へ折曲して立下げ側面部４１ｅをそれぞれ形成して、この立下げ側面部４１ｅに所要間隔を置いて上側の回路基板６を支持して固定する支持脚片４２が立上げ形成されている。また、この取付けベース４１の主板部４１ａには、ハードディスクドライブ装置９側の回路基板に実装される回路部品が臨む窓孔等とともに装置固定用の螺子の挿通孔４３が穿設されており、脚片４１ｂ，４１ｃの接地面にも取付け用螺子の挿通孔４４が穿設されている。
【００４２】
このように形成される取付けベース４１にハードディスクドライブ装置９を、主板部４１ａに載置して位置決めし、裏面側から挿通孔４３に螺子を挿通して締付けることにより固定する。
【００４３】
このようにハードディスクドライブ装置９を固定した取付けベース４１は下側の回路基板７の所定の部位に脚片４１ｂ，４１ｃにおいて螺子止めによって固定する。このように取付けベース４１を回路基板７に固定することにより、この取付けベース４１の主板部４１ａと回路基板７の板面との間には脚片４１ｂ，４１ｃの高さ分の間隔が生じ、回路基板７上の回路部品との干渉が防止されるばかりでなく通気が可能になる。
【００４４】
このようにして下側の回路基板７には、本例では２台のハードディスクドライブ装置９を固定しており、この下側の回路基板７はシャーシ５の底板部５ａ上に、この底板部５ａに隆起状に設けた複数の支持突部５ａ1 上に載置して螺子止めにより固定し、この回路基板７とシャーシ底板部５ａとの間には支持突部５ａ1 の高さ分の間隔が生じ通気が可能になる。尚、シャーシ５の底面部５ａから一体に隆起する支持突部５ａ1 に変えて、底面部５ａに別体の支持部材を固定して、下側の回路基板７を固定することができる。
【００４５】
また、この回路基板７のシャーシ底板部５ａに対する固定により、ハードディスクドライブ装置９はシャーシ５のほぼ中央に位置して配置されるようになっている。本例装置では、前述のようにハードディスクドライブ装置９を２台を配置するので、この２台のハードディスクドライブ装置９を回路基板７上に前後に横置きに設置してシャーシ５のほぼ中央に位置して配置し、前後、左右の重量バランスを取るようにしてある。
【００４６】
このように、回路基板７に２台のハードディスクドライブ装置９を設置するには、前述のようにハードディスクドライブ装置９はそれぞれ取付けベース４１に固定し、この取付けベース４１を介して回路基板７に固定する。尚、本例では、一方である後側の取付けベース４１には、支持脚片４２を固定してあるが、他方である前側の取付けベース４１には、支持脚片は固定されておらず、このため、回路基板７に支持脚片４２と同じ高さの支持脚体４６を植立固定してある。この場合、前側の取付けベース４１にも支持脚片４２を固定し、回路基板７側の支持脚体は省略してもよい。
【００４７】
また、電源回路ユニット８は、シャーシ５の底板部５ａ上に前述した回路基板７とは別個に本例では左側部に配置固定される電源回路基板４５に実装搭載されて配置される。
【００４８】
このように電源回路ユニット８およびバードディスクドライブ装置９を配置したシャーシ５の上面側には、上側の回路基板６が配置固定される。この上側の回路基板６の配置固定は、前述した取付けベース４１に固定され支持脚片４２と下側の回路基板７に植立固定した支持脚体４６の上端支持面上に載置して螺子止めにより固定する。この上側の回路基板６の内面側、すなわち、下側の回路基板７と対向する面側にはチューナー回路ユニット１０がハードディスクドライブ装置９を挟んで電源回路ユニット８と相反する側、本例では右側部に実装搭載される。このチューナー回路ユニット１０にはＢＳチューナー回路等も備えられ、また、この上側の回路基板６にはアナログ回路、アナログ・デジタル変換回路等が実装されている。
【００４９】
そして、シャーシ５内には、冷却用の吸気用ファン５１と排気用ファン５２が内蔵されており、吸気用ファン５１は、発熱量が比較的少ない部品側に配置し、一方、排気用ファン５２は発熱量が多い部品側に配置してある。
【００５０】
すなわち、本例では、吸気用ファン５１は、チューナー回路ユニット１０側においてハードディスクドライブ装置９の側部側に対応して配置してある。この吸気用ファン５１のケーシング５３は上面側のファン部面５３ａがハードディスクドライブ装置９方向に低く傾斜し、高位側面に吸気開口部５３ｂが形成されたダクト状で下側の回路基板７に固定されて、ファン部面５３ａが上側の回路基板６に対してハードディスクドライブ装置９方向に間隔が拡がるように対向される。この吸気用ファン５１は複数台配置できるものである。
【００５１】
一方、排気用ファン５２は、発熱量の多い電源回路ユニット８の後方側においてシャーシ５の後部に配置してあり、この排気用ファン５２のケーシング５４は、ファン部面５４ａがシャーシ５の底板部５ａに対して垂直に位置し、排気開口部が背面板１４に形成した通気孔に臨んでいる。また、シャーシ５の底板部５ａの四隅部近傍には脚体５５が取付けられている。
【００５２】
以上のように構成したこの実施の形態例のハードディスク記録型デジタルビデオレコーダーとしての装置１は、ハードディスクドライブ装置９がシャーシ５に所要間隔を置いて固定される下側の回路基板７上に取付けベース４１を介して所要の間隔を置いて固定される。また、その上面側には上側の回路基板６が所要の間隔を置いて配置されて、ハードディスクドライブ装置９は上側の回路基板６と下側の回路基板７とにより、いわゆるサンドイッチ状に所要間隔を置いて挟まれることになるので、ハードディスクドライブ装置９から発生する動作音等のノイズは、上下の回路基板６と７とにより遮音されて外部への伝達が抑制される。この場合、下側の回路基板７と取付けベース４１との間、ハードディスクドライブ装置９と上側の回路基板６との間、上側の回路基板６と天板１３との間等に遮音部材を介装することにより防音効果が一層向上する。
【００５３】
また、この遮音構造としては、フロントパネル１１の内面側、天板１３の内面側等に遮音部材を貼ってもよく、この遮音部材としては例えばネオプレンスポンジ等の吸音材を用いることができる。
【００５４】
また、ハードディスクドライブ装置９は、取付けベース４１に固定されて、この取付けベース４１を下側の回路基板７に、その所要高さの脚片４１ｂ，４１ｃを介して固定し、下側の回路基板７をシャーシ５の底板部５ａに、支持突部５ａ1 又は支持部材を介して固定することにより、ハードディスクドライブ装置９とシャーシ５との間には複数層の空間が形成されることになり、シャーシ５側からハードディスクドライブ装置９に加わる衝撃を低減できて、機器１の運搬や設置等で誤って落下させた場合の衝撃が直接加わることなく緩和されて破損が防止される。
【００５５】
また、シャーシ５内に配置される冷却用の吸気用ファン５１と排気用ファン５２を駆動することによりシャーシ５内、すなわち、機器１の筺体内の通気冷却が強制的に行われる。すなわち、吸気用ファン５１の駆動により、外気が機器１の筺体内にフロントパネル１１の下面板部１１ｅに形成した通気孔１１ｆ、サイドパネル１２に形成した通気孔１２ａおよびシャーシ５の底板部５ａに形成した通気孔１７ｄ、側板部５ｂにそれぞれ形成した凹部１７ｂ、通気孔１７ｃを通して吸気されて吸気用ファン５１のケーシング５３のファン部面５３ａから斜め上方へ流通されて上側の回路基板６側に実装固定されたチューナー回路ユニット１０等を冷却すると共に上側の回路基板６とハードディスクドライブ装置９との間を流通され、また、下側の回路基板７とハードディスクドライブ装置９の取付けベース４１との間の間隔部にも流通されてハードディスクドライブ装置９が冷却される。
【００５６】
一方、排気用ファン５２の駆動により、機器１の筺体内の空気が強制的に排気されるが、この排気用ファン５２は発熱量の多い電源回路ユニット８側に配置されていることによりこの電源回路ユニット８の周囲の空気が強制的に排気されて電源回路ユニット８は発生する熱が外部に放出され冷却される。
このように吸気用ファン５１と排気用ファン５２が駆動されることにより機器１の筺体内において、吸気用ファン５１によりハードディスクドライブ装置９と上側の回路基板６および下側の回路基板７との間に空気が流通されて、電源回路ユニット８側へ流通し、排気用ファン５２により外部へ放出されるので機器１の筺体内の各部品、部材の冷却が効率良く行える。
【００５７】
また、この実施の形態例の機器１には、冷却用の吸気用ファン５１と排気用ファン５２を内蔵し、吸気用ファン５１は比較的発熱量の少ない部品側に配置し、排気用ファン５２は発熱量の多い部品側に配置したことにより、冷却効率が向上する。
【００５８】
以上のように、この第１の実施の形態例の装置１は、上面に大きな矩形面を持った外形が略直方体状の筺体構造のほぼ中央部に１台又は複数台のハードディスクドライブ装置９を配設したので、このハードディスクドライブ装置９は装置１の落下において衝撃を受ける筺体構造の底面部、すなわち、シャーシ５の底板部５ａの四隅部近傍の各脚体５５から最も離れて位置されることになり、耐衝撃性が増し、衝撃から保護されて破損等が防止される。
【００５９】
特に、このような装置はユーザーが載置台上に載置する際、一側部側を持ち上げたまま、他側部側を先に接地した後、一側部側を落すように接地させる、いわゆる片持ち落下状態で載置する場合が多いが、本例装置１においてはハードディスクドライブ装置９を筺体構造のほぼ中央部に配設したことにより、図９に示すように装置１の一側部側がある高さＨに持ち上げられ、他側部側が接地された状態ではハードディスクドライブ装置９が配置されている中央部分の高さはＨ／２であり、この状態で一側部側を落下状に接地させたとしてもハードディスクドライブ装置９の受ける衝撃は低減されて破損等が防止される。
【００６０】
また、この装置１を載置台上に載置して接地した状態で、ハードディスクドライブ装置９は駆動することにより振動を発することになるが、この振動は、ハードディスクドライブ装置９が筺体構造のほぼ中央部に配設されていることにより筺体構造の底面部、すなわち、シャーシ５の底板部５ａの四隅部近傍の各脚体５５で等分に受けられて分散されることになり、外部への伝達が抑制されて使用者に不快感を与えることはない。
【００６１】
また、ハードディスクドライブ装置９は、筺体構造内において、ハードディスクドライブ装置９の表面積より大の面積を持つ上下の回路基板６と７との間に所要の空間を置いて挟まれて配置されるので、この両回路基板６，７が防音材としても作用し、ハードディスクドライブ装置９の駆動により発する駆動音等のノイズの外部への伝達が抑制されて使用者に不快感を与えることはない。
【００６２】
前述のように家庭で使用する機器は静かに駆動される必要があり、この駆動音を外部に伝達させないためには防音材を内蔵することになり、家庭用のビデオデッキ、オーディオ機器等と同様に薄い矩形状の外形を持った筺体構造では防音材を内蔵するスペースの確保に難点があるが、本例装置１では、ハードディスクドライブ装置９の上下に回路基板６，７を配し、これを防音材として使用するように構成したことによりこの難点が解消されて、防音効果が向上される。
【００６３】
そして、本例装置は筺体構造内において、チューナー回路ユニット１０とハードディスクドライブ装置９との間には第１のファンとしての吸気用ファン５１を配置し、電源回路ユニット８の後方側に第２のファンとしての排気用ファン５２を配置したことにより、外部の空気は吸気用ファン９７の駆動により筺体構造のサイドパネル１２に形成した通気孔１２ａ及びフロントパネル１１の下面板部１１ｅに形成した通気孔１１ｆ等から流入して温度上昇に弱いチューナー回路ユニット１０に沿って流れてこのチューナー回路ユニット１０を冷却し、この空気は吸気用ファン５１を介してハードディスクドライブ装置９の表面に沿って流れて表面金属板側を冷却する。
【００６４】
このように、ハードディスクドライブ装置９を冷却しながら流れる空気は電源回路ユニット８側に流れてその回路部品間を流通して冷却し、排気用ファン５２により外部に排出される。
【００６５】
このようにして、装置１の筺体構造内は空気の強制的流れにより冷却が行われ、各部材の温度測定によりチューナー回路ユニット１０の発熱温度は５５℃以下に押えられ、ハードディスクドライブ装置９の表面側発熱温度は６０℃以下に押えられ、また、電源回路ユニット８の発熱温度はほぼ１００℃に押えられる結果が得られ、通常の民生用の機器に比べて厳しい耐熱条件を十分クリアした。
【００６６】
また、本例装置１は筺体構造の通気孔を側面側及び前部下面側に形成したが、側面側、すなわち、サイドパネル１２は断面く字状に形成されてその谷部に通気孔１２ａを形成したことにより、装置１を棚等に収納設置した場合も吸気を確保できる構成であり、また、装置１を側面側が棚内壁に密着状態で収納設置した場合でもフロントパネル１１の下面板部１１ｅに形成した通気孔１１ｆにより通気が確保される構成であるため、装置１は設置場所に関係なく常に空気の流通冷却を確実に行うことができる。
【００６７】
さらに、本例装置１は筺体構造が薄い略直方体形状で内蔵されるハードディスクドライブ装置９は上下の面積の大の回路基板６，７間に配置されていても、吸気ファン５１と排気ファン５２の駆動により空気は両回路基板６，７間をスムーズに流通して確実に冷却される。
【００６８】
次に図１０〜図１３を参照して本発明の第２の実施の形態例を説明する。この第２の実施の形態例もビデオ信号記録及び／又は再生装置としてハードディスク記録型のデジタルビデオレコーダーを示しており、本例は１台又は複数台のハードディスクドライブ装置を縦に配置して構成したものである。
【００６９】
図１０は第２の実施の形態例装置の一部分解した状態の外観図、図１１は本例装置の縦断側面図である。この図１０及び図１１に示すように本例装置６１の筺体６２は、全体的に上面側に大きな矩形面を持った外形が略直方体状で、前面のフロントパネル６３には電源釦６４や録画釦、プログラム釦など各種の操作釦６５や表示部６６が配置されている。天板６７には、そのほぼ中央部に後述するハードディスクドライブ装置の配置部に対応してハードディスクドライブ装置を挿脱する開口部６８が形成されて蓋板６９を嵌合してねじ７０によりねじ止め固定して閉塞するようになっている。なお、天板６７の開口部６８は蓋板６９を上面から密接嵌合するために受段面部６８ａが形成されている。
【００７０】
また、両側面板７１には通気孔７２が形成されており、底面板７３には一側部側に通気孔（図示省略）が形成され、下面側の四隅部近傍には脚体７４が取付けられている。また、背面板７５には後述する排気ファンに対応して排気口（図示省略）が形成されている。そして、この筺体６２の内面側には前面側から上面側にかけて、本例ではフロントパネル６３の内面側と蓋板６９の内面に、ゴム、スポンジ材等から形成される防音材７６を貼着してある。
【００７１】
次に、このように構成される本例装置６１の筺体６２の内部構造を図１１、図１２及び図１３を参照して説明する。この筺体６２の底面板７３の上面側にはシャーシ７７が固定されて、このシャーシ７７上に回路基板７８が取付けられている。
【００７２】
この回路基板７８には筺体６２のほぼ中央部に位置して複数のハードディスクドライブ装置９０が縦位置で前後方向に所要間隔を置いて装填配置されて図１０に示すように天板６７の開口部６８に対応されている。
【００７３】
この複数のハードディスクドライブ装置９０は本例では、１台ずつ少し両側に振ったジグザグ状に配置してあるが、一列状に配置してもよい。この各ハードディスクドライブ装置９０の回路基板７８上の装填配置部は、回路基板７８上に、各ハードディスクドライブ装置９０の配置位置に図１３に示すように、ハードディスクドライブ装置９０のコネクター部９１（図１０参照）に対応してコネクタ９２を配置し、このコネクタ９２を挟んで両側に対向して例えば横断面コ字形の案内保持枠９３を植立固定して構成されている。そして各ハードディスクドライブ装置９０はそれぞれ、案内保持枠９３に嵌挿してコネクター部９１をコネクタ９２に嵌合接続することにより装填する。この各ハードディスクドライブ装置９０の装填は図１０に示すように筺体６２の天板６７の開口部６８から挿入して行う。なお、案内保持枠９３の補強と安定化を図るために全部の案内保持枠９３間を連繋部材９４により連繋してある。
【００７４】
このように、回路基板７８上に縦位置で装填配置される複数のハードディスクドライブ装置９０は図１０及び図１１に示すように配置列の前面側はフロントパネル６３の内面側の防音材７６に対向し、上面側は蓋板６９の内面の防音材７６に対応して、ハードディスクドライブ装置９０の駆動により発する駆動音等のノイズの筺体６２の外部への伝達が防止される。
【００７５】
また、本例装置６１においても、前述した第１の実施の形態例装置１と同様に筺体６２に電源回路ユニット、チューナー回路ユニット及び冷却用ファンが内蔵されている。この電源回路ユニット９５は、回路基板７８の一側部側、図示例では左側部側の前述したフロントパネル６３に配設した電源釦６４と対応する側に実装配置されており、チューナー回路ユニット９６は、回路基板７８の他側部側、図示例では右側部側の操作釦６５と対応する側に実装配置されている。
【００７６】
そして、筺体６２には冷却用ファンとして吸気用ファン９７と排気用ファン９８が内蔵され、吸気用ファン９７は、回路基板７８上にチューナー回路ユニット９６側においてハードディスクドライブ装置９０の側部側に対応して２台並べて配置してあり、この吸気用ファン９７は、ファン部９７ａがハードディスクドライブ装置９０方向に低く傾斜し、ケーシングの高位側面に吸気開口部が形成されたダクト状で回路基板７８に固定されている。
【００７７】
この吸気用ファン９７はファン部９７ａがハードディスクドライブ装置９０の側面側に下側から斜め上方へ対向することにより、ハードディスクドライブ装置９０の間隔部を下側から斜め上方へ流れる空気流が生成される。
【００７８】
一方、排気用ファン９８は、発熱量の多い電源回路ユニット９５の後方側において、筺体６２の背面側に配置してあり、この排気用ファン９８はファン部９７ａが回路基板７８に対して垂直に位置し、ケーシングの排気開口部は背面板７５に形成された排気口に臨んでいる。
【００７９】
以上のように構成される第２の実施の形態例のビデオ信号記録及び／又は再生装置としてハードディスク記録型のデジタルビデオレコーダーにおいても、装置６１の筺体６２は、上面側に大きな矩形面を持った外形が略直方体状で、その内部のほぼ中央部に１台又は複数台のハードディスクドライブ装置９０が縦位置で装填配置されるので装置６１の落下において衝撃を受ける底面板７３側の四隅部近傍の各脚体７４から最も離れて位置されることになり、耐衝撃性が増すと共にハードディスクドライブ装置９０の駆動により発する振動を四隅部の脚体７４で等分に受けて振動を外部に伝達し難くなる。
【００８０】
また、筺体６２内の前面側と上面側、本例ではフロントパネル６３の内面側と天板６７側のハードディスクドライブ装置９０を挿脱する開口部６８を閉塞する蓋板６９の内面側に防音材７６を貼着したことにより、ハードディスクドライブ装置９０は上側の防音材７６と下側に位置する回路基板７８とにより挟まれることになるので前面側の防音材７６と相俟って防音作用を成し、ハードディスクドライブ装置９０の駆動により発する駆動音等のノイズの筺体６２の外部への伝達が防止される。
【００８１】
この場合、蓋板６９の内面側に貼着した防音材７６とハードディスクドライブ装置９０の上面との間に図１１に示すように間隙を形成することにより、この間隙に後述する冷却用の空気が流れることにより冷却効果が向上し、冷却と防音を同時に実現できる。また、防音材７６とハードディスクドライブ装置９０とを密接させるようにしてもよい。この場合、ハードディスクドライブ装置９０のがたつきを更に抑制し、振動を押えることができる。
【００８２】
そして、筺体６２内には、吸気用ファン９７と排気用ファン９８を配置し、空気流を強制的に生成するように構成したことにより、筺体６２内の温度上昇が抑制される。すなわち、吸気用ファン９７はハードディスクドライブ装置９０とチューナー回路ユニット９６との間に配置し、排気用ファン９８は電源回路ユニット９５の後方側に配置したことにより、外気の空気は吸気用ファン９７の駆動により筺体６２の側面板７１の通気孔７２から流入して温度上昇に弱いチューナー回路ユニット９５に沿って流れてこのチューナー回路ユニット９５を冷却し、この空気は吸気用ファン９７を介してハードディスクドライブ装置９０の側面側に流れる。
【００８３】
このハードディスクドライブ装置９０は縦位置で前後方向に所要間隔を置いて配置されていることにより、その間隔部を空気が流れてハードディスクドライブ装置９を冷却するが、ハードディスクドライブ装置９０は１台ずつジグザグに少し両側方向に振って配置されていることにより、この空気の流れがスムーズになり、ハードディスクドライブ装置９０の冷却効果が向上する。
【００８４】
このように、ハードディスクドライブ装置９０を冷却しながらその間隔部を流れる空気は電源回路ユニット９５側に流れ、その回路部品間を流通して冷却し、排気用ファン９７により外部に排出される。
【００８５】
この筺体６２内の空気の強制的流れにより、筺体６２内の冷却が行われ、各部材の温度測定によりチューナー回路ユニット９６の発熱温度は５５℃以下に抑えられ、ハードディスクドライブ装置９０の発熱温度は６０℃以下に抑えられ、電源回路ユニット９５の発熱温度はほぼ１００℃に抑えられる結果が得られ通常の民生用の機器に比べて厳しい耐熱条件を十分にクリアした。
【００８６】
以上、本発明の実施の形態を説明したが、本発明はこの実施の形態例に限定されるものではなく、本発明の趣旨を逸脱しない範囲で種々変更できるものである。
【００８７】
例えば、筺体構造の外装におけるフロントパネル１１、左右のサイドパネル１２の形状、表示部の構成、形状等は実施の形態例に限ることなく任意に変更できるものであり、また内部構造の各部材の形状等も任意に変更できるものである。
【００８８】
また、本発明はハードディスク記録型のビデオレコーダーに限ることなく、光磁気ディスク記録再生装置、フロッピーディスク記録再生装置等も適用でき、記録媒体交換方式の記録媒体駆動装置も適用できるものである。またオーディオレコーダー、セットトップボックス、パーソナルコンピュータなど様々な電子機器にも適用できるものである。
【００８９】
【発明の効果】
以上のように本発明によるビデオ信号記録及び／又は再生装置は、筺体内において、チューナー回路部とハードディスクドライブ装置との間には第１のファンとしての吸気用ファンを配置し、電源回路部の後方側に第２のファンとしての排気用ファンを配置したことにより、外部の空気は吸気用ファンの駆動により筺体の側面部に形成した通気孔及び前面部の下面部に形成した通気口等から流入して温度上昇に弱いチューナー回路部に沿って流れてこのチューナー回路部を冷却し、この空気は吸気用ファンを介してハードディスクドライブ装置の表面に沿って流れてこのハードディスクドライブ装置を冷却しながら流れる空気は電源回路部側に流れてその回路部品間を流通して冷却し、排気用ファンにより外部に排出され装置の筺体内は空気の強制的流れにより冷却が確実に行われる。
【００９０】
また、筺体の側面部は断面く字状に形成されてその谷部に通気孔を形成したことにより、装置を棚等に収納設置した場合も吸気を確保できる構成であり、また、装置を側面側が棚内壁に密着状態で収納設置した場合でも前面側の下面部に形成した通気孔により通気が確保されて装置は設置場所に関係なく常に通気の流通冷却を確実に行うことができる。
【００９１】
さらに、装置は筺体が薄い略直方体形状で内蔵されるハードディスクドライブ装置は上下の面積の大の回路基板間に配置されていても、吸気用ファンと排気用ファンの駆動により空気は両回路基板間をスムーズに流通して確実に冷却される。
【図面の簡単な説明】
【図１】本発明による装置の一例の外観を示す斜視図である。
【図２】図１に示す装置の内部構造を示す分解斜視図である。
【図３】図１に示す装置の一部省略した縦断面図である。
【図４】図１に示す装置のフロントパネルとサイドパネルの組み合わせ部分の断面図である。
【図５】図１に示す装置におけるカーソル釦配置部の正面図である。
【図６】図１に示す装置の内部構造の配置関係を示す天板等を取外した状態の斜視図である。
【図７】図１に示す装置の内部構造の一部分の分解斜視図である。
【図８】図１に示す装置の内部構造の横断面図である。
【図９】図１に示す装置の落下状態の説明図である。
【図１０】本発明による装置の他例の外観を示す一部分解した斜視図である。
【図１１】図１０に示す装置の縦断側面図である。
【図１２】図１０に示す装置の内部構造を示す斜視図である。
【図１３】図１０に示す装置の内部構造の一部の分解斜視図である。
【符号の説明】
１‥‥装置、５‥‥シャーシ、６，７‥‥回路基板、８‥‥電源回路ユニット、９‥‥ハードディスクドライブ装置、１０‥‥チューナー回路ユニット、１１‥‥フロントパネル、１２‥‥サイドパネル、４１‥‥取付けベース、４１ｂ，４１ｃ‥‥脚片、４２‥‥支持脚片、４６‥‥支持脚体、５１‥‥吸気用ファン、５２‥‥排気用ファン
【図１】
0004300685.tif 000002
【図２】
0004300685.tif 000003
【図３】
0004300685.tif 000004
【図４】
0004300685.tif 000005
【図５】
0004300685.tif 000006
【図６】
0004300685.tif 000007
【図７】
0004300685.tif 000008
【図８】
0004300685.tif 000009
【図９】
0004300685.tif 000010
【図１０】
0004300685.tif 000011
【図１１】
0004300685.tif 000012
【図１２】
0004300685.tif 000013
【図１３】
0004300685.tif 000014